【手続補正書】
【提出日】平成16年8月18日(2004.8.18)
【手続補正１】
【補正対象書類名】明細書
【補正対象項目名】特許請求の範囲
【補正方法】変更
【補正の内容】
【特許請求の範囲】
【請求項１】
配列番号：１または配列番号：３で表わされるアミノ酸配列と同一もしくは実質的に同一のアミノ酸配列を含有することを特徴とするＧ蛋白質共役型レセプター蛋白質またはその塩。
【請求項２】
配列番号：１で表わされるアミノ酸配列を含有する請求項１記載のＧ蛋白質共役型レセプター蛋白質またはその塩。
【請求項３】
配列番号：３で表わされるアミノ酸配列を含有する請求項１記載のＧ蛋白質共役型レセプター蛋白質またはその塩。
【請求項４】
配列番号：１０または配列番号：１４で表わされるアミノ酸配列と同一もしくは実質的に同一のアミノ酸配列を含有することを特徴とするＧ蛋白質共役型レセプター蛋白質またはその塩。
【請求項５】
配列番号：１０で表わされるアミノ酸配列を含有する請求項４記載のＧ蛋白質共役型レセプター蛋白質またはその塩。
【請求項６】
配列番号：１４で表わされるアミノ酸配列を含有する請求項４記載のＧ蛋白質共役型レセプター蛋白質またはその塩。
【請求項７】
配列番号：６４で表わされるアミノ酸配列と同一もしくは実質的に同一のアミノ酸配列を含有することを特徴とするＧ蛋白質共役型レセプター蛋白質またはその塩。
【請求項８】
配列番号：６４で表わされるアミノ酸配列を含有する請求項７記載のＧ蛋白質共役型レセプター蛋白質またはその塩。
【請求項９】
請求項１、請求項４または請求項７記載のＧ蛋白質共役型レセプター蛋白質の部分ペプチドまたはその塩。
【請求項１０】
請求項１、請求項４または請求項７記載のＧ蛋白質共役型レセプター蛋白質をコードするポリヌクレオチドを含有するポリヌクレオチド。
【請求項１１】
ＤＮＡである請求項１０記載のポリヌクレオチド。
【請求項１２】
配列番号：２、配列番号：４、配列番号：１１、配列番号：１５または配列番号：６５で表される塩基配列を含有する請求項１１記載のＤＮＡ。
【請求項１３】
請求項１０記載のポリヌクレオチドを含有する組換えベクター。
【請求項１４】
請求項１３記載の組換えベクターで形質転換させた形質転換体。
【請求項１５】
請求項１４記載の形質転換体を培養し、請求項１、請求項４または請求項７記載のＧ蛋白質共役型レセプター蛋白質を生成せしめることを特徴とする請求項１、請求項４または請求項７記載のＧ蛋白質共役型レセプター蛋白質またはその塩の製造法。
【請求項１６】
請求項１、請求項４または請求項７記載のＧ蛋白質共役型レセプター蛋白質もしくは請求項９記載の部分ペプチドまたはその塩に対する抗体。
【請求項１７】
請求項１、請求項４または請求項７記載のＧ蛋白質共役型レセプター蛋白質のシグナル伝達を不活性化する中和抗体である請求項１６記載の抗体。
【請求項１８】
請求項１、請求項４または請求項７記載のＧ蛋白質共役型レセプター蛋白質のシグナル伝達を活性化する抗体である請求項１６記載の抗体。
【請求項１９】
請求項１６記載の抗体を含有してなる診断薬。
【請求項２０】
請求項１６記載の抗体を含有してなる医薬。
【請求項２１】
請求項１、請求項４もしくは請求項７記載のＧ蛋白質共役型レセプター蛋白質またはその部分ペプチドまたはその塩を用いることにより得られうる請求項１、請求項４または請求項７記載のＧ蛋白質共役型レセプター蛋白質またはその塩に対するリガンド。
【請求項２２】
請求項２１記載のＧ蛋白質共役型レセプターのリガンドを含有してなる医薬。
【請求項２３】
請求項１、請求項４もしくは請求項７記載のＧ蛋白質共役型レセプター蛋白質またはその部分ペプチドまたはその塩を用いることを特徴とする請求項１、請求項４もしくは請求項７記載のＧ蛋白質共役型レセプター蛋白質またはその塩に対するリガンドの決定方法。
【請求項２４】
請求項１、請求項４もしくは請求項７記載のＧ蛋白質共役型レセプター蛋白質またはその部分ペプチドまたはその塩を用いることを特徴とする、リガンドと請求項１、請求項４もしくは請求項７記載のＧ蛋白質共役型レセプター蛋白質またはその塩との結合性を変化させる化合物またはその塩のスクリーニング方法。
【請求項２５】
請求項１、請求項４もしくは請求項７記載のＧ蛋白質共役型レセプター蛋白質またはその部分ペプチドまたはその塩を含有することを特徴とするリガンドと請求項１、請求項４もしくは請求項７記載のＧ蛋白質共役型レセプター蛋白質またはその塩との結合性を変化させる化合物またはその塩のスクリーニング用キット。
【請求項２６】
請求項１０記載のポリヌクレオチドとハイストリンジェントな条件下でハイブリダイズするポリヌクレオチド。
【請求項２７】
請求項１０記載のポリヌクレオチドと相補的な塩基配列またはその一部を含有してなるアンチセンスポリヌクレオチド。
【請求項２８】
請求項１０記載のポリヌクレオチドまたはその一部を用いることを特徴とする請求項１、請求項４または請求項７記載のＧ蛋白質共役型レセプター蛋白質のｍＲＮＡの定量方法。
【請求項２９】
請求項１６記載の抗体を用いることを特徴とする請求項１、請求項４または請求項７記載のＧ蛋白質共役型レセプター蛋白質の定量方法。
【請求項３０】
請求項２８または請求項２９記載の定量方法を用いることを特徴とする請求項１、請求項４または請求項７記載のＧ蛋白質共役型レセプターの機能が関連する疾患の診断方法。
【請求項３１】
請求項２８記載の定量方法を用いることを特徴とする請求項１、請求項４または請求項７記載のＧ蛋白質共役型レセプター蛋白質の発現量を変化させる化合物またはその塩のスクリーニング方法。
【請求項３２】
請求項２８記載の定量方法を用いることを特徴とする細胞膜における請求項１、請求項４または請求項７記載のＧ蛋白質共役型レセプター蛋白質量を変化させる化合物またはその塩のスクリーニング方法。
【請求項３３】
請求項１記載のＧ蛋白質共役型レセプター蛋白質をコードするポリヌクレオチドを含有するポリヌクレオチドを含有してなる診断薬。
【請求項３４】
配列番号：２で表される塩基配列を含有するポリヌクレオチドを含有するポリヌクレオチドと配列番号：４で表される塩基配列を含有するポリヌクレオチドを含有するポリヌクレオチドとを組み合わせてなる診断薬。
【請求項３５】
（i）請求項１記載のＧ蛋白質共役型レセプター蛋白質をコードするポリヌクレオチドと（ii）配列番号：１６で表されるアミノ酸配列を有するＧ蛋白質共役型レセプター蛋白質をコードするポリヌクレオチドまたは配列番号：１８で表されるアミノ酸配列を有するＧ蛋白質共役型レセプター蛋白質をコードするポリヌクレオチドとを組み合わせてなる診断薬。
【請求項３６】
中枢疾患、内分泌疾患、代謝疾患または癌の診断薬である請求項３３〜３５記載の診断薬。
【請求項３７】
請求項１記載のＧ蛋白質共役型レセプター蛋白質をコードするポリヌクレオチドを含有するポリヌクレオチドを用いて、請求項１記載のＧ蛋白質共役型レセプター蛋白質またはその塩の発現量を測定することを特徴とする診断方法。
【請求項３８】
配列番号：２で表される塩基配列を含有するポリヌクレオチドを含有するポリヌクレオチドと配列番号：４で表される塩基配列を含有するポリヌクレオチドを含有するポリヌクレオチドとを用いて、配列番号：１で表されるアミノ酸配列を含有するＧ蛋白質共役型レセプター蛋白質またはその塩と配列番号：３で表されるアミノ酸配列を含有するＧ蛋白質共役型レセプター蛋白質またはその塩の発現量を測定することを特徴とする診断方法。
【請求項３９】
（i）配列番号：２で表される塩基配列を含有するポリヌクレオチドを含有するポリヌクレオチドと（ii）配列番号：１７で表される塩基配列を含有するポリヌクレオチドを含有するポリヌクレオチドまたは配列番号：１９で表される塩基配列を含有するポリヌクレオチドを含有するポリヌクレオチドとを用いて、（i）配列番号：１で表されるアミノ酸配列を含有するＧ蛋白質共役型レセプター蛋白質またはその塩と（ii）配列番号：１６で表されるアミノ酸配列を含有するＧ蛋白質共役型レセプター蛋白質もしくはその塩または配列番号：１８で表されるアミノ酸配列を含有するＧ蛋白質共役型レセプター蛋白質もしくはその塩の発現量を測定することを特徴とする診断方法。
【請求項４０】
（i）配列番号：４で表される塩基配列を含有するポリヌクレオチドを含有するポリヌクレオチドと（ii）配列番号：１７で表される塩基配列を含有するポリヌクレオチドを含有するポリヌクレオチドまたは配列番号：１９で表される塩基配列を含有するポリヌクレオチドを含有するポリヌクレオチドとを用いて、（i）配列番号：３で表されるアミノ酸配列を含有するＧ蛋白質共役型レセプター蛋白質またはその塩と（ii）配列番号：１６で表されるアミノ酸配列を含有するＧ蛋白質共役型レセプター蛋白質もしくはその塩または配列番号：１８で表されるアミノ酸配列を含有するＧ蛋白質共役型レセプター蛋白質もしくはその塩の発現量を測定することを特徴とする診断方法。
【請求項４１】
中枢疾患、内分泌疾患、代謝疾患または癌の診断方法である請求項３７〜４０記載の診断方法。
【請求項４２】
外来性の、請求項１、請求項４または請求項７記載のＧ蛋白質共役型レセプター蛋白質をコードするＤＮＡまたはその変異ＤＮＡを有する非ヒトトランスジェニック動物。
【請求項４３】
非ヒト動物がゲッ歯動物である請求項４２記載の動物。
【請求項４４】
ゲッ歯動物がマウスまたはラットである請求項４３記載の動物。
【請求項４５】
外来性の、請求項１、請求項４または請求項７記載のＧ蛋白質共役型レセプター蛋白質をコードするＤＮＡまたはその変異ＤＮＡを含有し、非ヒト動物において発現しうる組換えベクター。
【請求項４６】
請求項１、請求項４または請求項７記載のＧ蛋白質共役型レセプター蛋白質をコードするＤＮＡが不活性化された非ヒト哺乳動物胚幹細胞。
【請求項４７】
非ヒト哺乳動物がゲッ歯動物である請求項４６記載の胚幹細胞。
【請求項４８】
ゲッ歯動物がマウスである請求項４７記載の胚幹細胞。
【請求項４９】
請求項１、請求項４または請求項７記載のＧ蛋白質共役型レセプター蛋白質をコードするＤＮＡが不活性化された該ＤＮＡ発現不全非ヒト哺乳動物。
【請求項５０】
非ヒト哺乳動物がゲッ歯動物である請求項４９記載の非ヒト哺乳動物。
【請求項５１】
ゲッ歯動物がマウスである請求項５０記載の非ヒト哺乳動物。